(57)【特許請求の範囲】
【請求項１】
入力された音のセント偏差を抽出して表示する調律装置において、
スケール板と、前記スケール板上にある回転軸を中心に回転する指針とを具備し、セント偏差を前記スケール板上の前記指針の動きで表示する指針式メータと、
前記指針式メータの外周を囲んだメータ枠と、
前記指針式メータを照らす発光手段を具備し、
前記メータ枠は、前記発光手段の発光部を密着させて保持し、前記発光手段の発光部を前記指針の回転軸上かつ前記メータ枠上に配置するとともに、前記発光手段から照射される光を拡散させるための拡散手段を有し、蛍光物質を使用して構成されることを特徴とする調律装置。
【請求項２】
前記指針及び前記スケール板のうち少なくとも一方が蛍光物質を使用して構成され、
前記発光手段は、前記蛍光物質を励起させて発光させる波長を有する発光ダイオードであることを特徴とする請求項１に記載の調律装置。
【請求項３】
照明機能付指針式メータであって、
スケール板と、前記スケール板上にある回転軸を中心に回転する指針とを具備し、前記スケール板上の前記指針の動きで情報を表示する指針式メータと、
前記指針式メータの外周を囲んだメータ枠と、
前記指針式メータを照らす発光手段を具備し、
前記メータ枠は、前記発光手段の発光部を密着させて保持し、前記発光手段の発光部を前記指針の回転軸上かつ前記メータ枠上に配置するとともに、前記発光手段から照射される光を拡散させるための拡散手段を有し、蛍光物質を使用して構成されること特徴とする、照明機能付指針式メータ。
【請求項４】
前記指針及び前記スケール板のうち少なくとも一方が蛍光物質を使用して構成され、
前記発光手段は、前記蛍光物質を励起させて発光させる波長を有する発光ダイオードであることを特徴とする請求項３に記載の照明機能付指針式メータ。
【請求項５】
前記指針式メータが、音のセント偏差を表示する、請求項３または請求項４に記載の照明機能付指針式メータ。
【発明の詳細な説明】
【技術分野】
【０００１】
本発明は、照明機能付指針式メータに関し、より詳細には楽器を調律するために用いる調律装置の表示部に関わるものである。
【背景技術】
【０００２】
従来、調律装置に使用される指針式メータの照明方法としては、発光ダイオード（以後、ＬＥＤとする）や電球を使ってメータの枠外から光を照射し、さらにメータ枠にローレットをつけるなどして拡散させる方法が一般的である。また、暗所での指針や目盛りの視認性を更に高めるため、指針部および目盛り部に蛍光塗料を塗布してメータ近傍に取り付けられた近紫外ＬＥＤのエネルギーにより蛍光塗料を励起させ、発光させる方法もある（例えば、特許文献１参照。）。
【特許文献１】特開２００４−１０９１７３号公報
【発明の開示】
【発明が解決しようとする課題】
【０００３】
上記のような照明方法では、メータの外部から拡散光を照射しているため、例え指針や目盛りに蛍光塗料を塗布したとしてもメータ内およびメータ枠に十分な拡散光を導入することができず、照明としても十分な明るさを得ることが難しかった。
【０００４】
そこで本発明の課題は、メータ内やメータ枠に発光素子からの拡散光を効率よく導入し、蛍光物質を使って更に照明の輝度を向上させる構造を提案することにある。
【課題を解決するための手段】
【０００５】
上記の目的を達成するために、本発明の調律装置では、入力された音のセント偏差を抽出して表示する調律装置において、スケール板と、前記スケール板上にある回転軸を中心に回転する指針とを具備し、セント偏差を前記スケール板上の前記指針の動きで表示する指針式メータと、前記指針式メータの外周を囲んだメータ枠と、前記指針式メータを照らす発光手段を具備し、前記メータ枠の一部が前記発光手段を保持する構造をとることを特徴とし、メータ内に拡散光を直接照射することを可能にした。
【０００６】
また、前記メータ枠は拡散手段を持ち、さらに前記発光手段の発光部と密着する構造をとることで、導光体となるメータ枠に効率よく拡散光を導入することができるようになった。
【０００７】
さらに前記発光手段は前記メータ枠によって指針やスケール板に近接する位置に保持される構造にすることで、拡散光で指針やスケール板をより明るくすることを可能にした。
さらに前記発光手段に近紫外線など蛍光物質を発光させることが可能であるエネルギーを有する光を照射するＬＥＤを使い、メータ内の指針やスケール版、メータ枠に蛍光物質を塗布・練りこむことで、メータやスケール板、メータ枠自体が発光し、暗所での視認性を向上させることが可能とした。
【０００８】
また本発明は、照明機能付指針式メータであって、スケール板と、前記スケール板上にある回転軸を中心に回転する指針とを具備し、前記スケール板上の前記指針の動きで情報を表示する指針式メータと、前記指針式メータの外周を囲んだメータ枠と、前記指針式メータを照らす発光手段を具備し、前記メータ枠は、前記発光手段を保持する構造を有すること特徴とするものとした。
【０００９】
ここで、前記メータ枠は、前記発光手段の発光部を前記メータ枠に密着させて保持する構造を有することを特徴とするものとした。
【００１０】
これによりメータ枠に発光手段からの光を効率よく入射することが可能になる。
【００１１】
また、前記メータ枠は、前記発光手段を、前記指針の回転軸および前記スケール板に近接する位置に保持する構造を有することを特徴とするものとした。
【００１２】
これにより、指針式メータの指針に均一に且つスケールを明るく照明することが可能になる。
【００１３】
また、前記指針、前記スケール板、および／もしくは前記メータ枠は蛍光物質を使用して構成され、前記発光手段は、前記蛍光物質を励起させて発光させる波長を有する発光ダイオードであることを特徴とするものとした。
【００１４】
これにより、前記指針、前記スケール板、および／もしくは前記メータ枠を強調的に表示させ、視認性を向上させることが可能になる。
【００１５】
前記メータ枠は、前記発光手段から照射される光を拡散させるための拡散手段を有することを特徴とするものとした。
【００１６】
これにより、メータ枠全体に光が動向するため、指針式メータ全体を照明することが可能になる。
【００１７】
また本発明の前記指針式メータが、音のセント偏差を表示するものとした。
【００１８】
これにより、調律装置等に、本発明の指針指針式メータを搭載することで、演奏が行われる暗所においても演奏者にセント偏差を提示することが可能となる。
【発明の効果】
【００１９】
以上説明したように本発明は、メータ枠の一部に発光素子を密着固定することでメータ内に直接拡散光を照射・導入させる効率の良い照明方法の実現を可能にした。さらにメータ内の指針やスケール版、メータ枠に蛍光物質を塗布・練りこむことで、メータやスケール板、メータ枠自体が発光し、暗所での視認性を向上させることを可能にした。
【発明を実施するための最良の形態】
【００２０】
以下にこの発明の実施形態を図面に基づいて説明する。
【００２１】
図１は、本発明を用いた調律装置に用いられる指針式メータの照明構造の一例を表す外観図である。メータ部１、メータ枠２、スケール板３、指針４、発光素子５で主に構成されている。
【００２２】
メータ枠２の中でも、メータの外周を囲む光拡散部２ａは、ローレットなどの光拡散構造をとっている。
【００２３】
また、発光素子保持部２ｂは導光性を有し、発光素子５の照射する光がメータ内に直接入り指針４およびスケール板３を明るく均一に照明できるように、指針４の回転軸近傍で発光素子５を保持する構造となっている。
【００２４】
さらに発光素子保持部２ｂは、発光素子５の形状に合わせて発光素子５とメータ枠２が密着するよう構造となっている。このため、発光素子５が発光する光をメータ内およびメータ枠２に効率よく使用することが可能であり、発光素子５の光が照明に使用されずにメータ外に逃げてしまうといった光の損失を少なくすることが可能である。
【００２５】
また、メータ枠２、スケール板３、指針４に蛍光物質を塗布し、発光素子５を近紫外ＬＥＤなどの蛍光物質を発光させるものにすると、発光素子５が点灯したときに蛍光物質を含む箇所が発光し、メータ全体を発光させることが可能である。
【実施例１】
【００２６】
図２は本発明の指針式メータの照明方法を用いた調律装置の実施形態の一例を表す外観図である。本体ケース６には電源スイッチ７、メータ８、近紫外ＬＥＤ９、音名表示ＬＥＤ１０、マイク１１を配置する。
【００２７】
メータ８において、メータ枠８ａには蛍光物質を練りこんであり、指針８ｂおよびスケール板８ｃには蛍光物質を塗布してある。スケール板８ｃの蛍光物質は本体に蛍光物質を塗布したが、目盛りを蛍光物質で印刷する方法もある。また、メータ枠８ａの一部は近紫外ＬＥＤ９を保持する構造をとり、発光部がメータ枠８ａに密着している。
【００２８】
電源スイッチ７で電源を入れると調律装置が機能するようになり、同時にバックライト機能もＯＮとなる。まず、調律装置としての動作は、マイク１１から入力された入力音の音名とセント偏差を抽出し、音名を音名表示ＬＥＤ１０で、セント偏差をメータ８にて表示する。
【００２９】
次に、バックライト機能は、近紫外ＬＥＤ９が点灯すると近紫外光がメータ内全体に照射される。近紫外ＬＥＤ９は指針８ｂの回転軸上に配置されているため、指針８ｂがどの角度に動いても指針全体に拡散光を照射することができる。
【００３０】
また近紫外ＬＥＤ９は、スケール板８ｃにも近接しており、スケール板８ｃにも蛍光物質が使用されているため、スケール板全体を発光させることが可能である。
【００３１】
さらに近紫外ＬＥＤ９は、メータ枠８ａに密着しているため、拡散光を効率よく導入することが可能であり、ＬＥＤ９の密着面から導入された光とＬＥＤ９から照射された拡散光によってメータ枠８ａ全体が高輝度で発光する。
【００３２】
このような照明用法を採用してメータ内全体を照明し発光させるため、暗所での調律も問題なく行うことができる。
【００３３】
尚、本実施例では、ＬＥＤとして近紫外ＬＥＤを採用したが、使用する蛍光物質の特性に合わせて発光波長を選択すればよい。また、蛍光物質を使用しない場合には、ＬＥＤは発光波長にこだわる必要は無く、所望の発光波長のＬＥＤを採用することも可能である。
【００３４】
また、本実施例では本発明の指針式メータが調律装置に使用される場合について説明したが、使用する装置は調律装置に限らない。例えば、計測器等に使用することが可能である。
【図面の簡単な説明】
【００３５】
【図１】本発明を用いた調律装置に用いられる指針式メータの照明構造の一例を表す外観図である。
【図２】本発明の指針式メータの照明方法を用いた調律装置の実施形態の一例を表す外観図である。
【符号の説明】
【００３６】
１  メータ本体
２  メータ枠
２ａ  光拡散部
２ｂ  発光素子保持部
３  スケール板
４  指針
５  発光素子
６  本体ケース
７  電源スイッチ
８  指針式メータ
８ａ  メータ枠
８ｂ  指針
８ｃ  スケール板
９  近紫外ＬＥＤ
１０  音名表示ＬＥＤ
１１  マイク
【図１】
0004602262.tif 000002
【図２】
0004602262.tif 000003